(57)【要約】  身体の水平状態を調整することのできる泳者姿勢の調整方法及びこれに用いる泳者情報測定装置を提供する。  泳者の重心位置（Ｘ１）並びに水中において蹴伸び姿勢の伏し浮き状態にある泳者の浮心位置（Ｘ２）及び浮力（Ｂ）を泳者情報として求め、該泳者情報に基づいて泳者の身体に浮力を有する取外し可能なバランサーを取り付けることにより、前記重心位置（Ｘ１）と浮心位置（Ｘ２）の差を調節可能とした泳者姿勢の調整方法である。
2011125163.tif 000002
【特許請求の範囲】
【請求項１】
泳者の重心位置（Ｘ１）並びに水中において蹴伸び姿勢の伏し浮き状態にある泳者の浮心位置（Ｘ２）及び浮力（Ｂ）を泳者情報として求め、該泳者情報に基づいて泳者の身体に浮力を有する取外し可能なバランサーを取り付けることにより、前記重心位置（Ｘ１）と浮心位置（Ｘ２）の差を調節可能とした泳者姿勢の調整方法。
【請求項２】
泳者の重心位置（Ｘ１）と、水中において蹴伸び姿勢の伏し浮き状態にある泳者の肺内残気量（Ｖｃ）と、この残気量に応じた浮心位置（Ｘ２）及び浮力（Ｂ）を泳者情報として求め、該泳者情報に基づいて泳者の身体に浮力を有する取外し可能なバランサーを取り付けることにより、前記重心位置（Ｘ１）と浮心位置（Ｘ２）の差を調節可能とした泳者姿勢の調整方法。
【請求項３】
前記重心位置（Ｘ１）は、陸上において荷重計により計測した泳者の体重（Ｗ）と、水平の蹴伸び状態に身体を伸展した泳者を２箇所で支える支持点の一方から所定距離（Ｘ０）にある他の支持点を計測点として加重センサにより計測した泳者の加重(Ｆａ)に基づき、関係式（１）から前記支持点から重心までの距離として算出し、
前記浮力（Ｂ）、浮心位置（Ｘ２）は、水中において蹴伸び姿勢の伏し浮き状態にある泳者の浮心及び重心を挟んで泳者を上半身と下半身の２点で支え、上半身荷重センサで計測した上半身荷重（Ｆ１）、下半身荷重センサで計測した下半身荷重（Ｆ２）に基づき、関係式（４）から浮力（Ｂ）を求め、両荷重計測点間の距離（Ｘ０）を計測して関係式（５）から浮心位置（Ｘ２）を求めてなる請求項１又は２記載の泳者姿勢の調整方法。
Ｆａ・Ｘ０＝Ｗ・Ｘ１・・・・・・・（１）
Ｂ＝Ｗ＋Ｆ１＋Ｆ２・・・（４）
Ｘ２・Ｂ＋Ｘ１・（−Ｗ）＋Ｘ０・（−Ｆ１）＝０・・・（５）
【請求項４】
前記重心位置（Ｘ１）は、陸上において荷重計により計測した泳者の体重（Ｗ）と、水平の蹴伸び状態に身体を伸展した泳者を２箇所で支える支持点の一方から所定距離（Ｘ０）にある他の支持点を計測点として加重センサにより計測した泳者の加重(Ｆａ)に基づき、関係式（１）から前記支持点から重心までの距離として算出し、
前記浮力（Ｂ）、浮心位置（Ｘ２）は、水中において蹴伸び姿勢の伏し浮き状態にある泳者の浮心及び重心を挟んで泳者を上半身と下半身の２点で支え、上半身を支える上半身支持部に設けられた上半身荷重センサによって計測される荷重（Ｆ１）又は下半身を支える下半身支持部に設けられた下半身荷重センサによって計測される荷重（Ｆ２）を説明変数、残気量測定手段によって計測された泳者の残気量（Ｖｃ）を目的変数として回帰分析を施してそれぞれ回帰式を作成し、
これらの回帰式を関係式（４）に代入して残気量（Ｖｃ）に応じた浮力（Ｂ）を算出し、
前記浮力（Ｂ）および上半身荷重（Ｆ１）の回帰式を関係式（５）に代入することにより、残気量（Ｖｃ）に応じた浮心位置（Ｘ２）を算出することを特徴とする請求項２記載の泳者姿勢の調整方法。
Ｆａ・Ｘ０＝Ｗ・Ｘ１・・・・・・・（１）
Ｂ＝Ｗ＋Ｆ１＋Ｆ２・・・（４）
Ｘ２・Ｂ＋Ｘ１・（−Ｗ）＋Ｘ０・（−Ｆ１）＝０・・・（５）
【請求項５】
算出された浮心位置（Ｘ２）と算出された重心位置（Ｘ１）との差を算出することを特徴とする請求項３又は４記載の泳者姿勢の調整方法。
【請求項６】
前記バランサーが独立気泡構造の弾性発泡体からなり、泳者の身体において部分的に装着可能としたサポータであることを特徴とする請求項１から４のいずれかに記載の請求項１又は２記載の泳者姿勢の調整方法。
【請求項７】
前記バランサーが独立気泡構造の弾性発泡体からなり、水着の一部を構成していることを特徴とする請求項１又は２記載の泳者姿勢の調整方法。
【請求項８】
請求項２又は４記載の泳者姿勢の調整方法に用いる泳者情報測定装置において、
水中において蹴伸び姿勢の伏し浮き状態にある泳者の浮心及び重心を挟んで上半身と下半身の２点を支える上半身支持部及び下半身支持部と、前記上半身支持部にかかる荷重（Ｆ１）を計測する上半身荷重センサと、前記下半身支持部にかかる荷重（Ｆ２）を計測する下半身荷重センサと、前記荷重の測定時の泳者の残気量（Ｖｃ）を測定する残気量測定手段と、前記上半身荷重（Ｆ１）、下半身荷重（Ｆ２）、両荷重計測点間の距離（Ｘ０）、残気量（Ｖｃ）並びに予め計測した泳者の体重（Ｗ）および算出した重心位置（Ｘ１）を記憶させる記憶部と、前記記憶部で記憶された前記上半身荷重（Ｆ１）、下半身荷重（Ｆ２）、両荷重計測点間の距離（Ｘ０）および残気量（Ｖｃ）に基づいて浮力（Ｂ）及び浮心位置（Ｘ２）を含む泳者情報を算出する演算処理手段と、演算手段で算出された泳者情報を出力する出力手段とを含み、
前記演算処理手段は、前記記憶部に記憶された、複数の上半身荷重（Ｆ１）及び下半身荷重（Ｆ２）を説明変数、残気量（Ｖｃ）を目的変数としてそれぞれ回帰式を作成し、
これらの回帰式を記憶部に予め記憶された下記関係式（４）を呼び出し、この関係式（４）に代入して浮力（Ｂ）を算出し、
また、前記浮力（Ｂ）および上半身荷重（Ｆ１）の回帰式を記憶部に予め記憶された下記関係式（５）を呼び出し、この関係式（５）に代入することにより浮心位置（Ｘ２）を算出することを特徴とする泳者情報測定装置。
Ｂ＝Ｗ＋Ｆ１＋Ｆ２・・・（４）
Ｘ２・Ｂ＋Ｘ１・（−Ｗ）＋Ｘ０・（−Ｆ１）＝０・・・（５）
【発明の詳細な説明】
【技術分野】
【０００１】
本発明は、水泳のトレーニングの一環として水中における泳者の姿勢（泳者姿勢）を調整する方法、この方法に用いる泳者情報測定装置に関するものである。
【背景技術】
【０００２】
水泳時、水中において身体を水平姿勢に保つと、身体にかかる水の抵抗が減るため、効率よく速く泳ぐことができることが知られている。しかし、水中における蹴伸び状態において、一般的に、重心はおへそより足先側に位置して下向きの力が作用し、浮心はおへそよりも少し頭部側に位置して上向きの力が働くため、重心位置と浮心位置とにずれが生じ、全体として身体に回転モーメント（回転運動）が生じ、足が沈んでしまう。すると、身体を水平姿勢に保つことができないため、水の抵抗が増し、速く泳ぐことができない。【０００３】
したがって、水中で水平姿勢を確保するには、重心位置と浮心位置を近づけて、できるだけ両者を鉛直線上に位置させるのが好ましい。浮心位置と重心位置とが鉛直線上に一致すれば、身体に回転モーメントが生じないため、身体を水平姿勢に保ちやすくなるからである。【０００４】
この浮心位置と重心位置のずれの程度は、身長、体重、体脂肪率、肺中の残気量や肺の形状等のバランスの違いによって異なってくる。この浮心位置と重心位置のずれを知るために、従来、泳者の重心と浮心の距離を測定する方法として、以下の方法が知られている（非特許文献１及び２参照）。いずれの場合も、まず、地上で体重および重心位置を測定し、次いで、水中で浮力及び浮心位置を測定する方法である。【０００５】
（１）重心位置（足先から重心位置までの距離（Ｘ１））の測定
重心の測定は、Ｒｅａｃｔｉｏｎ  Ｂｏａｒｄ法を用いて行われる。予め泳者の体重（Ｗ）を計測しておき、図１８に示すように、地上に水平に設置され、両端を上半身支持部１３と下半身支持部１４により支持された計測ボード１５の上に、手足を伸ばした蹴伸び姿勢でうつ伏せにして寝かせる。そして、手先の下に設けられた荷重計１６の計測値（Ｆａ）、足先から指先までの距離（Ｘ０）を測定し、これらの値を次式（１）に当てはめて重心位置（Ｘ１）を算出する。
Ｆａ・Ｘ０＝Ｗ・Ｘ１・・・・・・・（１）【０００６】
（２）浮力（Ｂ）及び浮心位置（足先から浮心位置までの距離（Ｘ２））の測定
図１９に示すように、泳者に水中で伏し浮き姿勢をとらせ、泳者の足首にベルト（重り０．９５Ｋｇ）を巻いて安定した状態としたうえで、足首にかかる力（Ｆｂ）を計測し、既知の体重（Ｗ）と足首にかかる荷重（Ｆｂ）とから次式（２）により浮力（Ｂ）を算出する。この場合、下向きの荷重は、体重Ｗとベルト荷重（０．９５ｋｇ）であり、上向きの荷重は、浮力Ｂと荷重Ｆｂとなる。
Ｂ＝Ｗ−Ｆｂ＋０．９５ｋｇ・・・・・・（２）
算出された浮力（Ｂ）、体重Ｗを用いて、次式（３）より浮心位置Ｘ２を算出する。この場合、Ｘ１は足先から重心位置までの距離（上記（１）で計測した既知値）、Ｘ２は足先から浮心位置までの距離（求める値）である。足先を中心とした、浮力による上向きの回転モーメントと重心による下向きの回転モーメントとが釣り合うことになるので、次式（３）が成立する。
Ｂ・Ｘ２＝Ｗ・Ｘ１・・・・・（３）
【先行技術文献】
【特許文献】
【０００７】
【非特許文献１】山岸威夫著、「浮心と重心のずれがけのび動作のパフォーマンスに及ぼす影響」、平成２０年度順天堂大学大学院スポーツ健康科学研究科修士論文
【非特許文献２】ＳＣＯＴＴ  Ｐ．  ＭｃＬＥＡＮら著、「Ｓｅｘ  ｄｉｆｆｅｒｅｎｃｅｓ  ｉｎ  ｔｈｅ  ｃｅｎｔｒｅ  ｏｆ  ｂｕｏｙａｎｃｙ  ｌｏｃａｔｉｏｎ  ｏｆ  ｃｏｍｐｅｔｉｔｉｖｅ  ｓｗｉｍｍｅｒｓ」、１９９８年発行、Ｊｏｕｒｎａｌ  ｏｆ  Ｓｐｏｒｔｓ  Ｓｃｉｅｎｃｅｓ、１６、Ｐ３７３−３８３
【発明の概要】
【発明が解決しようとする課題】
【０００８】
上記のように、ある泳者の重心位置、浮心位置、浮力を求めることは可能であるが、これによって浮心位置と重心位置のずれを求めたとしても、直ちに泳力の向上につなげることは困難である。初心者やマスターズ級の泳者の場合、浮心と重心の位置が大きく離れており、また、腹筋及び背筋の筋力が不足していることから、自らの感覚で浮心位置と重心位置を近づけ、水中において水平姿勢を保つことは困難である。アスリート級の泳者の場合、腹筋及び背筋が発達しているため、重心位置を浮心位置に近づけることができ、水中で水平姿勢に近いかたちをとることは比較的容易であるが、より泳力を向上させタイムを縮めるためにはさらに完全な水平姿勢を取ることが求められる。また、アスリート級の泳者であって理想に近い水平姿勢を取り得る泳者の場合に、敢えて重心位置と浮心位置をずらせることができれば泳力向上のためのトレーニングが可能となる。【０００９】
そこで、本発明は、ある泳者の水中における浮心位置及び重心位置を計測して数値化し、両者の離れ度合いに応じて、浮心位置と重心位置の離れを軽減したり、反対に離したりする調整手段を講ずることにより、水泳のトレーニングの一環として水中における身体の姿勢を調整することのできる泳者姿勢の調整方法及びこれに用いる泳者情報測定装置を提供することを目的とするものである。
【課題を解決するための手段】
【００１０】
上記目的を達成するため、本発明は、泳者の重心位置と浮心位置の差を求めるだけではなく、これに応じて両者の差を調整可能な調整手段を採用してさらに有効なトレーニングを実施できるようにしたものである。すなわち、本発明は、泳者の重心位置（Ｘ１）並びに水中において蹴伸び姿勢の伏し浮き状態にある泳者の浮心位置（Ｘ２）及び浮力（Ｂ）を泳者情報として求め、その泳者情報に基づいて泳者の身体に浮力を有する取外し可能なバランサーを取り付けることにより、重心位置（Ｘ１）と浮心位置（Ｘ２）の差を調節可能とした泳者姿勢の調整方法である。【００１１】
求められた重心位置（Ｘ１）、浮心位置（Ｘ２）、浮力（Ｂ）等の泳者情報に基づいて、泳者にバランサーを取り付けると、そのバランサーの種類及び取付位置によって、泳者の浮心位置（Ｘ２）や浮力（Ｂ）が変わるため、重心位置（Ｘ１）と浮心位置（Ｘ２）との間の距離が変わる。重心位置（Ｘ１）と浮心位置（Ｘ２）とが鉛直線上において近付けば、泳者の姿勢をより水平に近づけることができるし、重心位置（Ｘ１）と浮心位置（Ｘ２）とが鉛直線上において遠ざかれば、身体に回転モーメントが生じて足が沈む。このようにして、泳者の水中における姿勢を調整することができる。【００１２】
バランサーとは、いわゆる浮力材であるが、従来から存する浮き輪やアームリング（腕浮き輪）などのように内包する空気の浮力を利用した浮くためだけの浮力材ではなく、例えば、独立気泡構造のゴム製弾性発泡体を利用したものなどが挙げられる。具体例としては、水着等の水泳時に着用する衣類全体及びその一部、泳者の身体に部分的に装着可能な部材（サポータ、紐やベルトを取り付け手段として腕や胴体に巻きつけるフロータ、等）を含むものである。なお、後述の「バランサーの種類」とは、厚みの大小、大きさ、材質の違い等の浮力に影響を及ぼす形態及び性質の違いをいう。【００１３】
バランサーの種類及び取付位置等の取付条件は、目的によって変えられる。例えば、初心者やマスターズ級の泳者のように、浮心と重心の位置が大きく離れていたり、腹筋及び背筋の筋力が不足している者には、重心位置（Ｘ１）と浮心位置（Ｘ２）とが同一鉛直線上に近づく条件（近接条件）でバランサーを取り付けて、水中における水平姿勢保持のための手助けをする。近接条件の選定は、バランサーの種類及び取付位置を変える毎に泳者情報を求め、その中から重心位置（Ｘ１）と浮心位置（Ｘ２）が鉛直線上により近づく条件を見出すことにより行われる。【００１４】
このような近接条件でバランサーを泳者に取り付けることにより、浮心位置（Ｘ２）と重心位置（Ｘ１）とを同一鉛直線上に近づかせ、泳者を水平姿勢に調整することができる。水中において身体を水平姿勢に保つと、身体にかかる水の抵抗が減るため、効率よく速く泳ぐことができるようになる。そして、この近接条件で水泳の練習を繰り返して行うことにより、泳者は水平姿勢のバランス感覚を覚え、バランサーを取り外した後でも水平姿勢のバランスを保つことができる。これは、自転車に乗れない者が、補助輪付きの自転車で平衡感覚のバランスを習得すれば、補助輪無しの自転車でも乗れるようになるのと似たような感覚である。こうして、水平姿勢のバランスを覚えた泳者は、バランサーなしでも早く泳ぐことができ、泳力の向上につなげることができる。【００１５】
また、アスリート級の泳者の場合、腹筋及び背筋が発達しているため、水中で水平姿勢に近いかたちをとることは比較的容易であるが、より正確な水平姿勢を保つように、浮心位置（Ｘ２）と重心位置（Ｘ１）とを同一鉛直線上にさらに近づかせてトレーニングすれば上記と同様に泳力の向上につなげることができる。また、敢えて重心位置（Ｘ１）と浮心位置（Ｘ２）が離れる条件（離反条件）でバランサーを取り付けることにより、腕力、脚力を鍛えるトレーニング用としても利用することができる。また、水平姿勢を保つための筋肉を鍛えるためのトレーニング用としても利用することができ、水平姿勢を保つ能力をより一層向上させることができる。
離反条件の選定は、バランサーの種類及び取付位置を変える毎に泳者情報を求め、その中から重心位置（Ｘ１）と浮心位置（Ｘ２）が適度に離れる条件を見出すことにより行われる。【００１６】
なお、泳者の重心位置（Ｘ１）、浮心位置（Ｘ２）及び浮力（Ｂ）を含む泳者情報の測定方法は、既知の方法を採用してもよいが、下記の方法を採用するのが好ましい。【００１７】
本発明の泳者情報の測定は、下記の（ア）及び（イ）のステップを含むものである。
（ア）泳者の地上での重心位置（Ｘ１）を求める重心位置算出ステップ
（イ）水中での浮力（Ｂ）及び浮心位置（Ｘ２）を求める浮力・浮心位置算出ステップ【００１８】
上記（ア）のステップは基本的に背景技術の項で示した測定ステップ（１）と同様である。すなわち、陸上において荷重計により泳者の体重（Ｗ）を計測すると共に、水平の蹴伸び状態に身体を伸展した泳者を２箇所で支える支持点の一方から所定距離（Ｘ０）にある他の支持点を計測点として泳者の荷重（Ｆａ）を荷重センサにより計測し、これらの値を次式（１）に当てはめることで、前記支持点から重心までの距離である重心位置（Ｘ１）を算出する。
Ｆａ・Ｘ０＝Ｗ・Ｘ１・・・・・・・（１）【００１９】
上記（イ）のステップは、水中において蹴伸び姿勢の伏し浮き状態にある泳者の浮心及び重心を挟んで泳者を上半身と下半身の２点で支え、上半身荷重センサで計測した上半身荷重（Ｆ１）、下半身荷重センサで計測した下半身荷重（Ｆ２）に基づき、関係式（４）から浮力（Ｂ）を求め、両荷重計測点間の距離（Ｘ０）を計測して関係式（５）から浮心位置（Ｘ２）を求める。
Ｂ＝Ｗ＋Ｆ１＋Ｆ２・・・（４）
Ｘ２・Ｂ＋Ｘ１・（−Ｗ）＋Ｘ０・（−Ｆ１）＝０・・・（５）【００２０】
上半身側の荷重（Ｆ１）および下半身側の荷重（Ｆ２）は、それぞれ荷重センサで計測する。両荷重の計測は、浮心位置と重心位置の位置ずれに伴って起こる身体の回転運動を予測するためであり、そのため、上半身側の荷重計測位置は、浮心位置よりも頭部側であればよく、また、下半身側の荷重計測位置は、重心位置よりも足先側にあればよい。【００２１】
上半身側の荷重計測位置としては、残気量に影響する肺よりも頭部側、特に、水中での水平な蹴伸び姿勢を維持しながら計測する上では、手先側を荷重計測位置とするのが好ましい。一方、下半身側の荷重計測位置は、水中での水平な蹴伸び姿勢を維持しながら計測する上で、下肢大腿部であってもよいが、泳者の蹴伸び姿勢で両端部の荷重を計測する方が正確な計測結果が得られると考えられるため、足先側に荷重計測位置を配置するのが好ましい。【００２２】
ただ、上記測定方法や従来の測定方法では、肺内にある空気量（以下、残気量という）といったパラメータまで考慮して浮力及び浮心位置を測定していない。残気量（Ｖｃ）は、浮力（Ｂ）および浮心位置（Ｘ２）に大きく影響する。すなわち、残気量（Ｖｃ）が変化すれば、当然ながら体内の空気量が変化するので浮力（Ｂ）が変化する。浮力（Ｂ）が変化すれば、水平姿勢を維持するための浮心位置（Ｘ２）も変わる。【００２３】
残気量（Ｖｃ）の変化により浮力（Ｂ）・浮力位置（Ｘ２）が変化することは、次のような問題が生じることになる。例えば、発泡体を使用した水着やサポータの着用によって浮力を調整し、泳者の水平姿勢を調整することができるが、残気量（Ｖｃ）を考慮した場合、このような泳者の浮力（Ｂ）や浮心位置（Ｘ２）を調整するために、どの程度の大きさや素材のバランサーをどの箇所に着用すればよいかなどのバランサーの取付条件を予測しにくくなる。換言すれば、泳者に対して同じバランサーを同じ箇所に着用させたとしても、残気量（Ｖｃ）によって浮力（Ｂ）や浮心位置（Ｘ２）が変化するので、バランサーの着用に対する正確なデータを得ることができない。【００２４】
そこで、同じ残気量（Ｖｃ）における浮心位置（Ｘ２）と重心位置（Ｘ１）との差を得るために、残気量（Ｖｃ）に応じた浮力（Ｂ）および浮心位置（Ｘ２）を算出することがより好ましい。【００２５】
すなわち、本発明は、泳者の重心位置（Ｘ１）と、水中において蹴伸び姿勢の伏し浮き状態にある泳者の肺内残気量（Ｖｃ）と、この残気量に応じた浮心位置（Ｘ２）及び浮力（Ｂ）を泳者情報として求め、この泳者情報に基づいて泳者の身体に浮力を有する取外し可能なバランサーを取り付けることにより、重心位置（Ｘ１）と浮心位置（Ｘ２）の差を調節可能とした泳者姿勢の調整方法である。【００２６】
このように、残気量（Ｖｃ）を考慮したうえで浮力（Ｂ）及び浮心位置（Ｘ２）を求めているので、バランサーの取付条件を変えても、各取付条件における浮力（Ｂ）及び浮心位置（Ｘ２）の比較を正確に行うことができる。【００２７】
上記（イ）のステップについてより具体的には、上半身を支える上半身支持部に設けられた上半身荷重センサによって計測される荷重（Ｆ１）又は下半身支持部に設けられた下半身荷重センサによって計測される荷重（Ｆ２）を説明変数、残気量測定手段によって計測された泳者の残気量（Ｖｃ）を目的変数として回帰分析を施してそれぞれ回帰式を作成し、これらの回帰式を関係式（４）に代入して残気量（Ｖｃ）に応じた浮力（Ｂ）を算出し、前記浮力（Ｂ）および上半身荷重（Ｆ１）の回帰式を関係式（５）に代入することにより、残気量（Ｖｃ）に応じた浮心位置（Ｘ２）を算出する。
Ｆａ・Ｘ０＝Ｗ・Ｘ１・・・・・・・（１）
Ｂ＝Ｗ＋Ｆ１＋Ｆ２・・・（４）
Ｘ２・Ｂ＋Ｘ１・（−Ｗ）＋Ｘ０・（−Ｆ１）＝０・・・（５）【００２８】
すなわち、本発明者らの研究によれば、上半身荷重（Ｆ１）と残気量（Ｖｃ）の回帰式、下半身荷重（Ｆ２）と残気量（Ｖｃ）の回帰式は、それぞれ直線回帰式（ａＸ＋ｂ：但し、ａは回帰直線の傾き、ｂは切片を表わす定数）となることが確認された。したがって、これらの相関関係から、「Ｆ１＋Ｆ２」と残気量（Ｖｃ）との回帰式は直線回帰式となることがわかる。これらの回帰式を上記関係式（４）に代入して浮力（Ｂ）を算出し、また、これによって得られた浮力（Ｂ）および上半身荷重（Ｆ１）の回帰式を関係式（５）に代入することにより、浮心位置（Ｘ２）を算出することができる。【００２９】
このように、上述の発明は、浮力及び浮心位置の算出に残気量（Ｖｃ）をパラメータとして使用することを特徴としている。残気量（Ｖｃ）に応じた浮力（Ｂ）及び浮心位置（Ｘ２）を測定することで、泳者姿勢を正確に把握することができる。したがって、泳者のどの位置にどの種類のバランサーを着用すればよいか、バランサーの取付条件の予測がしやすくなる。【００３０】
上記残気量（Ｖｃ）は、既知のスパイロメータにより肺活量を計測することにより算出することができる。例えば、泳者がスパイロメータのマウスピースを口にあてがい、全ての息を吐き出すことにより、肺の中に残っている空気量（残気量）を測定することができる。【００３１】
残気量（Ｖｃ）に応じた上半身荷重（Ｆ１）および下半身荷重（Ｆ２）を求めるには、上半身荷重（Ｆ１）および下半身荷重（Ｆ２）を異なる残気量ごとに測定する。例えば、計測用プールで上半身荷重（Ｆ１）および下半身荷重（Ｆ２）を計測した直後に、プールサイドに設置したスパイロメータで肺活量を計測することで残気量（Ｖｃ）を計測する。この操作を複数回（例えば、１５回）繰り返すことにより、異なる残気量（Ｖｃ）における上半身側と下半身側の荷重（Ｆ１、Ｆ２）を計測する。
また、計測用プールで上半身荷重（Ｆ１）および下半身荷重（Ｆ２）を計測、及びスパイロメータによる残気量の測定を連続的行うことも可能である。【００３２】
また、上記に加えて、浮力・浮心位置算出ステップでは、算出された浮心位置（Ｘ２）と重心位置算出ステップで算出した重心位置（Ｘ１）との差を算出するようにしてもよい。【００３３】
また、上記泳者姿勢の調整方法に使用する泳者情報測定装置としては、例えば、水中において蹴伸び姿勢の伏し浮き状態にある泳者の浮心及び重心を挟んで上半身と下半身の２点を支える上半身支持部及び下半身支持部と、上半身支持部にかかる荷重（Ｆ１）を計測する上半身荷重センサと、下半身支持部にかかる荷重（Ｆ２）を計測する下半身荷重センサと、荷重の測定時の泳者の残気量（Ｖｃ）を測定する残気量測定手段と、上半身荷重（Ｆ１）、下半身荷重（Ｆ２）、両荷重計測点間の距離（Ｘ０）、残気量（Ｖｃ）並びに予め計測した泳者の体重（Ｗ）および算出した重心位置（Ｘ１）を記憶させる記憶部と、記憶部で記憶された上半身荷重（Ｆ１）、下半身荷重（Ｆ２）、両荷重計測点間の距離（Ｘ０）および残気量（Ｖｃ）に基づいて浮力（Ｂ）及び浮心位置（Ｘ２）を含む泳者情報を算出する演算処理手段と、演算手段で算出された泳者情報を出力する出力手段とを含む構成とすることができる。【００３４】
演算処理手段は、記憶部に記憶された、複数の上半身荷重（Ｆ１）及び下半身荷重（Ｆ２）を説明変数、残気量（Ｖｃ）を目的変数としてそれぞれ回帰式を作成し、これらの回帰式を記憶部に予め記憶された下記関係式（４）を呼び出し、この関係式（４）に代入して浮力（Ｂ）を算出し、また、浮力（Ｂ）および上半身荷重（Ｆ１）の回帰式を記憶部に予め記憶された下記関係式（５）を呼び出し、この関係式（５）に代入することにより浮心位置（Ｘ２）を算出することができる。
Ｂ＝Ｗ＋Ｆ１＋Ｆ２・・・（４）
Ｘ２・Ｂ＋Ｘ１・（−Ｗ）＋Ｘ０・（−Ｆ１）＝０・・・（５）
【発明の効果】
【００３５】
以上の説明から明らかな通り、本発明は、このように、重心位置（Ｘ１）、浮心位置（Ｘ２）、浮力（Ｂ）等の泳者情報に基づいて、泳者にバランサーを取り付けることにより、重心位置と浮心位置の差を調節可能としたので、単に泳者情報を求めるだけではなく、これを水泳のトレーニング手段として有効活用することができ、バランサーの種類及び取付位置を調整することによって、初心者やマスターズ級、さらにはアスリート級に応じたトレーニングを可能とするものである。
さらにまた、残気量をも考慮した泳者姿勢の調整も可能とするものであり、より実際的なトレーニングを可能とするものである。
【図面の簡単な説明】
【００３６】
【図１】本発明の泳者情報測定装置の構成を示す図
【図２】本発明の泳者情報測定装置の機能構成を示すブロック図
【図３】通常の織物性の水着を着用した場合の測定値及び算出値を示すデータテーブル
【図４】図３の測定値から演算される算出値をプロットし、回帰式として表わした図
【図５】厚み１．５ｍｍの浮力を有する水着を着用した場合の測定値及び算出値を示すデータテーブル
【図６】図５の測定値から演算される算出値をプロットし、回帰式として表わした図
【図７】厚み３ｍｍの浮力を有する水着を着用した場合の測定値及び算出値を示すデータテーブル
【図８】図７の測定値から演算される算出値をプロットし、回帰式として表わした図
【図９】厚み５ｍｍの浮力を有する水着を着用した場合の測定値及び算出値を示すデータテーブル
【図１０】図９の測定値から演算される算出値をプロットし、回帰式として表わした図
【図１１】残気量に応じた重心位置−浮心位置（Ｘ２−Ｘ１）の値を示すデータテーブル
【図１２】残気量と、浮心位置−重心位置（Ｘ２−Ｘ１）との相関関係を表す図
【図１３】バランサーを取り付けた状態を示す図
【図１４】バランサーを示す図
【図１５】バランサーを取り付けた状態を示す他の図
【図１６】バランサーを取り付けた状態を示す他の図
【図１７】他の形態の泳者情報測定装置の構成を示す図
【図１８】重心位置を測定する方法を示す図
【図１９】従来の浮心位置を測定する方法を示す図
【発明を実施するための形態】
【００３７】
以下、本発明の実施形態を図面に基づいて説明する。本発明は、泳者の重心位置（Ｘ１）と、水中において蹴伸び姿勢の伏し浮き状態にある泳者の肺内残気量（Ｖｃ）と、この残気量に応じた浮心位置（Ｘ２）及び浮力（Ｂ）を泳者情報として求め、その泳者情報に基づいて泳者の身体に浮力を有する取外し可能なバランサーを取り付けることにより、重心位置（Ｘ１）と浮心位置（Ｘ２）の差を調節可能とした泳者姿勢の調整方法である。まず、この泳者姿勢の調整方法において、泳者情報を測定するための装置１について説明する。
【００３８】
泳者情報測定装置１は、測定したデータに基づいて浮力（Ｂ）および浮心位置（Ｘ２）を演算し、これらのデータと予め計測演算した重心位置（Ｘ１）とを比較し、バランサーの着用により泳者Ａ（試験者）の水平姿勢の調整に役立て、泳者が効率よく、より速く、泳ぐことを可能にし、また、より水泳技術の向上を果たせる水着等の衣類の開発に役立てるために使用するものである。勿論、泳者情報測定装置１は、他の目的に使用してもよい。
【００３９】
この泳者情報測定装置１は、図１に示すように、プール等の水槽２内の流水中又は静水中で、水平姿勢又は泳姿勢時の浮力（Ｂ）及び浮心位置（Ｘ２）を計測演算し、浮力（Ｂ）および浮心位置（Ｘ２）等を演算する。
【００４０】
図１に示すように、泳者情報測定装置１は、泳者が水中において水平姿勢となるように、浮心及び重心を挟んで上半身と下半身の２点を支える上半身支持部３及び下半身支持部４と、上半身支持部３及び下半身支持部４を保持する保持体５と、上半身支持部３にかかる荷重（Ｆ１）を計測する上半身荷重センサ６と、下半身支持部４にかかる荷重（Ｆ２）を計測する下半身荷重センサ７と、荷重の測定時の泳者の残気量（Ｖｃ）を測定する残気量測定手段８と、各種データを記憶させる記憶部１２と、記憶部１２で記憶された各種データに基づいて浮力（Ｂ）及び浮心位置（Ｘ２）を含む泳者情報を算出する演算処理部９と、演算手段で算出された泳者情報を出力する出力手段１０ａ、１０ｂとを含む。
【００４１】
記憶部１２及び演算処理部９はコンピュータ１１に組み込まれている。上半身荷重センサ６から荷重情報、下半身荷重センサ７からの荷重情報、および泳者の残気量測定情報は、コンピュータ１１の入力側に入力される。
【００４２】
記憶部１２に記憶される各種データは、上半身荷重センサ６から上半身荷重（Ｆ１）の情報、下半身荷重センサ７からの下半身荷重（Ｆ２）の情報、泳者の残気量測定情報（Ｖｃ）が挙げられる。これの情報以外に、記憶部１２には、予め計測された泳者の体重（Ｗ）、および算出した重心位置（Ｘ１）の情報が入力される。コンピュータ１１の詳細な構成は後述する。
【００４３】
記憶部１２に入力される体重（Ｗ）や重心位置（Ｘ１）の情報は、本泳者測定装置に付随した体重・重心位置測定装置あるいは別に設けられた測定装置によって出力される。
【００４４】
体重（Ｗ）は、主に泳者の重心位置（Ｘ１）を演算するために用いられる。体重（Ｗ）の測定は、水中ではなく地上において、体重・重心位置測定装置あるいは単独の体重計（あるいは荷重計）を使用して測定することができる。これらの体重計（荷重計）は、周知のものである。
【００４５】
重心位置（Ｘ１）の情報は、従来同様に図１８に示すような重心位置測定装置において得ることができる。一例を示すと、図１８に示すように、重心位置測定装置は、Ｒｅａｃｔｉｏｎ  Ｂｏａｒｄ法を用いて行われるものであって、地上に水平に設置され両端を上半身支持部１３と下半身支持部１４とにより支持された計測ボード１５と、該計測ボード１５の一方の支持部（例えば上半身支持部１３）に設けられた荷重計１６とを備えている。上半身支持部１３は手先の下に設置され、下半身支持部１４は足先の下に設置される。
【００４６】
重心位置（Ｘ１）の計測は、計測ボード１５上に、泳者Ａを水平の蹴伸び姿勢で身体を伸展させた状態でうつ伏せにして寝かせる。予め計測した泳者の体重（Ｗ）と、泳者の下半身および上半身を支持する支持部１３、１４のうちの一方にかかる荷重（例えば、上半身側にかかる荷重Ｆａ）を荷重計１３で計測する。計測ボード１５上の２つの支持点間の距離（Ｘ０）、前記上半身側の荷重（Ｆａ）、および前記体重（Ｗ）と、下記の式（１）から、重心位置（Ｘ１）を算出する。下記式（１）は、共通する支点からの距離と作用点における力の乗算値（回転モーメント）は互いに等しくなることから成立する等号式である。なお、重心位置（Ｘ１）は、荷重計の計測点とは反対側の支持点（図１８では下半身側の支持点）から重心までの距離である。
Ｆａ・Ｘ０＝Ｗ・Ｘ１・・・・・・・（１）
【００４７】
体重（Ｗ）は、別の測定装置を使用して測定することもできるが、図１８に示す測定装置において、上半身側の支持点と下半身側の支持点のそれぞれに荷重計を配置すれば、上半身側の荷重（Ｆａ）と下半身側の荷重（Ｆｂ）との和が体重（Ｗ）となるから。下記式が成立する。但し、下記式は計測ボート１５の重量（Ｗ２）を考慮している。
Ｆａ＋Ｆｂ−Ｗ２＝Ｗ
なお、体重（Ｗ）も併せて計測できる測定装置は、体重・重心位置測定装置として機能する。
【００４８】
体重・重心位置測定装置では、図示しないが、コンピュータを使用して重心位置（Ｘ２）を演算することができる。例えば、コンピュータには、体重Ｗや荷重の入力情報を入力するインターフェース（シリアルポート）と、該インターフェースに入力された体重や荷重の入力情報を記憶する記憶部と、記憶部で記憶された入力情報と予め入力された上記（１）式とから重心位置（Ｘ１）を演算する演算処理部と、演算処理部により算出された重心位置情報をモニタ等の表示部やプリントアウトする印刷部等の出力手段に出力制御する出力処理部とを備えている。
【００４９】
体重Ｗや荷重等の入力情報は、体重計や荷重計で計測した情報をキーボード等の操作部（入力手段）に入力するか、あるいは、体重計や荷重計で測定した測定値を信号線を介してコンピュータのインタフェースに入力する方法のいずれをも採用可能である。
【００５０】
この他、泳者Ａに関する情報として、身長、体脂肪率等を必要な情報として予め測定しておき、重心位置測定装置及び／又は泳者情報測定装置に入力し、記憶しておくこともできる。
【００５１】
図１に示すように、泳者が水中において水平姿勢となるように、浮心及び重心を挟んで上半身と下半身の２点を支える上半身支持部３及び下半身支持部４は保持体５に保持される。泳者情報測定装置１では、計測プール２の利用形態を考慮して、プール２に固定する方式に代えて着脱方式を採用する。着脱方式であるが故に、着脱を行いやすくするため、保持体５は両支持部を吊り下げる吊り下げ方式を採用する。
【００５２】
保持体５は、プール２の上方で前後方向に水平に伸びる棒状のバー５ａと、プールサイドに設置され前記バー５ａの前後端を支える支柱５ｂとを備えている。バー５ａ及び支柱５ｂは、強度を確保できる、ステンレス等の金属製、合成樹脂製、木製等、種々の素材を用いることができる。支柱５ｂはプールサイドの昇降用はしごを利用してもよい。
【００５３】
上半身支持部３および下半身支持部４は、それぞれ水中で泳者の浮心及び重心を挟んで上半身および下半身を支持する。水中での支持態様であるが、プール底から持ち上げて支持する方式ではなく、吊り下げ方式を採用しているので、棒状のバー５ａに紐状の垂下体３ａ、４ａを垂下し、この下端部側を支持部３、４としている。
【００５４】
本例においては、上半身支持部３は泳者Ａの手先を支持するように配置する。下半身支持部４は泳者の足先を支持するように配置する。そのため、上半身支持部３としては、棒状のハンドルを用い、下半身支持部４としては、足先が固定される方が好ましいので、サンダル形状の履物を配置している。泳者によって身長が異なるため、両支持部３、４間の距離を調整する必要がある。そのため、紐状の垂下体は、バー５ａに沿って移動自在とされる。また、垂下体３ａ、４ａは紐状であるため、水中で安定させるために下端部に重り３ｂ、４ｂが設けられる。このように、上半身支持部３及び下半身支持部４は、水中において蹴伸び姿勢の伏し浮き状態となるように泳者を保持する。なお、垂下体３ａ、４ａの素材は、紐に限定されるものではなく、金属製の棒等の他の素材を用いてもよい。
【００５５】
この両支持部３、４にかかる荷重を計測するための荷重センサ６、７は、それぞれ垂下体３ａ、４ａの中間位置で、汽水線（水面）よりも上方に設置されるのが望ましい。これは、荷重センサ６、７からの荷重情報を電気信号として泳者情報測定装置のコンピュータに入力するため、微弱な電流が流れるからである。ただ、防水性に優れ、また、電気信号により荷重変位を取り出すのではなく、歪センサ、圧力センサ等により歪あるいは圧力により荷重を検知する場合には、荷重センサを水中に設置してもよい。
【００５６】
本例では、荷重センサ６、７は、例えば、引っ張り／圧縮両用型のものが用いられ、支持部３、４にかかる引っ張り及び圧縮の両方の荷重を計測する。また、荷重センサとして、物理的な変位を目視して計測するバネ測りを用いてもよい。
【００５７】
荷重センサ６、７から出力された情報は、泳者情報測定装置のコンピュータ１１に入力される。また、荷重情報はキーボード等の操作部（入力手段）からコンピュータ１１に入力するようにしてもよい。
【００５８】
なお、上半身支持部３及び下半身支持部４による支持位置は、上記の手先及び足先に限定されるものではなく、浮心及び重心を挟んで上半身と下半身の２点を支える構成であれば他の箇所を支持する構成であってもよい。ここで、上半身支持部３を手先に設けると、泳者に上半身支持部を掴ませることができ、泳者との固定方法が容易となるので好ましい。
【００５９】
重り３ｂ、４ｂの重さは、上半身支持部３及び下半身支持部４を安定させるため、例えば、４ｋｇや２ｋｇ程度に設定される。この重り３ｂ、４ｂの重さは、上半身荷重センサ６及び下半身荷重センサ７にかかるため、測定時にはマイナス補正される。
【００６０】
本例の測定装置においては、さらに残気量を計測する残気量測定手段８として、肺気量を計測可能なスパイロメータ８が設けられる。本例においては、残気量をパラメータとして、所定の残気量に見合う正確な浮力および浮心位置（Ｘ２）を算出することを特徴としている。
【００６１】
上半身側および下半身側の荷重（Ｆ１）、（Ｆ２）は、異なる残気量ごとに測定する。例えば、計測用プールで上半身側と下半身側にかかる荷重（Ｆ１、Ｆ２）を計測した直後に、プールサイドに設置したスパイロメータで肺活量を計測することで残気量（Ｖｃ）を計測する。この操作を複数回（例えば、１５回）繰り返すことにより、異なる残気量（Ｖｃ）における上半身側と下半身側の荷重（Ｆ１、Ｆ２）を計測する。
なお、スパイロメータの本体をプールサイドに設置し、延長したマウスピースをくわえるようにしたり、スパイロメータの本体を保持体５で支持しとマウスピースをくわえるようにすれば、計測用プールで上半身側と下半身側にかかる荷重（Ｆ１、Ｆ２）の計測と残気量（Ｖｃ)の計測を同時に連続的に行うことも可能である。
【００６２】
スパイロメータ７は周知構造のものなので図示しないが、泳者Ａは、スパイロメータ８に付属するマウスピースを口にあてがい、鼻にクリップをつける等して、鼻から息が漏れないよう留意しながら全ての息を吐き出すことにより、肺の中に残っている空気量（残気量）を測定する。この残気量データは、電気信号として取り出し、泳者情報測定装置のコンピュータ１１に入力する。あるいは、測定された残気量データをキーボード等の操作部（入力手段）からコンピュータ１１に入力してもよい。
【００６３】
泳者情報測定装置に設けられたコンピュータ１１は、図２に示すように、各センサ（上半身荷重センサ６、下半身荷重センサ７及びスパイロメータ８）等の入力手段とデータを送受信するシリアルポート１７と、ＣＰＵ（中央演算装置）やＣＰＵが演算途中のデータを記憶するために使用するＲＡＭ（Ｒａｎｄｏｍ  Ａｃｃｅｓｓ  Ｍｅｍｏｒｙ）、ＣＰＵが実行するプログラムや各種演算式などを記憶するＲＯＭ（Ｒｅａｄ  Ｏｎｌｙ  Ｍｅｍｏｒｙ）等を備え、コンピュータ１１全体の動作を制御する制御部１８と、制御部１８が各センサ６、７、８から取得した測定結果を記憶するためのＨＤ、不揮発性ＲＡＭ等の記憶部１２とを備えている。
【００６４】
記憶部１２は、例えば、図３、図５、図７、図９及び図１１に示すテーブルを記憶する。また、記憶部１２には、ＲＯＭ内に記憶される各種演算式等をＲＯＭの代わりに記憶する領域を設けてもよい。本例では、後述するように、泳者ごとに荷重（Ｆ１、Ｆ２）と残気量（Ｖｃ）とをパラメータとして、種々の回帰式を使用して浮力（Ｂ）および浮心位置（Ｘ２）を演算するものであるため、ＲＯＭ内に基本的な直線回帰式（Ｙ＝ａＸ＋ｂ：但し、Ｙは荷重、Ｘは残気量、ａは回帰直線の傾き、ｂは切片を表わす定数）を記憶させておくに止め、各泳者独自の直線回帰式は記憶部１２に記憶させる。
【００６５】
さらに、制御部１８では、各センサ６、７、８からの測定信号を記憶する記憶部１２と、記憶部１２に記憶された情報を演算処理する演算処理部９とを備えている。また、制御部１８の出力側には、演算結果を表示するモニタ１０ａや演算結果をプリントアウトするプリンタ１０ｂが接続されている。例えば、図４、図６、図８、図１０及び図１２に示すグラフをモニタ１０ａ、プリンタ１０ｂより出力する。
【００６６】
制御部１８は、コンピュータ１１の測定機能が起動すると、コンピュータ１１のオペレータの操作に従い、シリアルポート１７を介して、各センサ６、７、８に対して測定信号の送信を要求する。具体的には、コンピュータ１１のオペレータが、ある泳者Ａに関する情報として、氏名、ＩＤ番号、性別、身長、体重、体脂肪率、重心位置、生年月日等を入力する。その情報は記憶部１２に記憶される。
【００６７】
そして、シリアルポート１７を介して各センサ６、７、８に対して測定信号の送信を要求する。そうすると、各センサ６、７、８が作動してシリアルポート１７に情報が入力される。これらの情報は記憶部１２に一旦記憶させる。
【００６８】
演算処理部９は、記憶部１２に一旦記憶した情報を演算して浮力および浮心位置等の泳者情報を算出する。下記の関係式（４）および関係式（５）は、例えば、記憶部１２に記憶されている。
【００６９】
Ｂ＝Ｗ＋Ｆ１＋Ｆ２・・・（４）
関係式（４）は、上半身荷重（Ｆ１）、下半身荷重（Ｆ２）、体重（Ｗ）、および浮力（Ｂ）の関係式である。水平姿勢を維持して均衡を保っているときの力の均衡を考慮したものである。式（４）において、浮力（Ｂ）と体重（Ｗ）との差が荷重（Ｆ１＋Ｆ２）として表わされる。各地点に作用する上向きの力をプラス、下向きの力をマイナスとして表わし、浮力（Ｂ）を求めることができる。
【００７０】
Ｘ２・Ｂ＋Ｘ１・（−Ｗ）＋Ｘ０・（−Ｆ１）＝０・・・（５）
関係式（５）は、上半身荷重（Ｆ１）、体重（Ｗ）、浮力（Ｂ）、両荷重計測点間の距離（Ｘ０）、重心位置（Ｘ１）、および浮心位置（Ｘ２）との関係式である。泳者が水平姿勢で釣り合っているとき、共通する支点からの距離と作用点における力の乗算値（回転モーメント）の合計がゼロになることを示す式である。式（５）では、上向きの力をプラス、下向きの力をマイナスと定義している。
【００７１】
演算処理部９では、上記式（４）と式（５）とを用いて、計測された荷重（Ｆ１）または（Ｆ２）を説明変数、残気量（Ｖｃ）を目的変数として回帰分析することによって、上半身荷重（Ｆ１）と残気量（Ｖｃ）との相関関係を示す回帰式、下半身荷重（Ｆ２）と残気量との相関関係を示す回帰式が導き出し、浮力（Ｂ）および浮心位置（Ｘ２）を導き出す。
【００７２】
本発明者らの研究によれば、上半身荷重（Ｆ１）と残気量（Ｖｃ）の回帰式、下半身荷重（Ｆ２）と残気量Ｖｃの回帰式は、それぞれ直線回帰式（Ｙ＝ａＸ＋ｂ：但し、Ｙは荷重、Ｘは残気量、ａは回帰直線の傾き、ｂは切片を表わす定数）となることが確認された。したがって、これらの相関関係から、「Ｆ１＋Ｆ２」と残気量（Ｖｃ）との回帰式は直線回帰式となることがわかる。
【００７３】
演算処理部９における演算処理方法について具体的に以下に説明する。
例えば、上半身荷重（Ｆ１）又は下半身荷重（Ｆ２）を説明変数、残気量（Ｖｃ）を目的変数として回帰分析を施してそれぞれ回帰式を作成すると、下記のようになる。
（上半身荷重（Ｆ１）と残気量（Ｖｃ）との回帰式）
上半身荷重Ｆ１（Ｙ１）を目的変数とし、残気量Ｖｃ（Ｘ）を説明変数とした場合、下記の直線回帰式（１２）となる。
Ｙ１＝ａ１Ｘ＋ｂ１（但し、ａ１は回帰直線の傾き、ｂ１は切片を表わす定数）・・・（１２）
で表すことができる。
（下半身荷重（Ｆ２）と残気量（Ｖｃ）との回帰式）
下半身荷重Ｆ２（Ｙ２）を目的変数とし、残気量Ｖｃ（Ｘ）を説明変数とした場合、下記の直線回帰式（１３）となる。
Ｙ２＝ａ２Ｘ＋ｂ２（但し、ａ２は回帰直線の傾き、ｂ２は切片を表わす定数）・・・（１３）
で表すことができる。
（Ｆ１＋Ｆ２と残気量（Ｖｃ）との回帰式）
Ｆ１＋Ｆ２（Ｙ１＋２）を目的変数とし、残気量（Ｘ）を説明変数とした場合、下記の直線回帰式（１４）となる。
Ｙ１＋２＝ａ１＋２Ｘ＋ｂ１＋２（但し、ａ１＋２は回帰直線の傾き、ｂ１＋２は切片を表わす定数）・・・（１４）
で表すことができる。
この式（１４）を使って浮力（Ｂ）を求める。また、式（１２）と式（１４）を使って、浮心位置（Ｘ２）を求める。
【００７４】
（浮力（Ｂ）の算出方法）
次に浮力（Ｂ）を求める。泳者Ａの体重をＷとすると、下記式（４）が成り立つ。
Ｂ＝Ｗ＋Ｆ１＋Ｆ２・・・（４）
この式（４）に上記式（１４）を代入することにより、下記式（１５）が導きだされる。この式（５）より、残気量Ｖｃに応じた浮力（Ｂ）を算出することができる。
Ｂ＝Ｗ＋（ａ１＋２Ｘ＋ｂ１＋２）・・・（１５）
【００７５】
（浮心位置（Ｘ２）の算出方法）
また、浮心位置（Ｘ２）については、下半身支持部４による足の固定位置を支点とすると、身体にかかる力は、浮力、体重及びＦ１に限定されることから、下記関係式（５）が成り立つ。
Ｘ２・Ｂ＋Ｘ１・（−Ｗ）＋Ｘ０・（−Ｆ１）＝０・・・（５）
この式（５）に、上記式（１２）を代入すると、下記関係式（１６）が成り立つ。
Ｘ２＝（Ｘ１・Ｗ＋Ｘ０・（ａ１Ｘ＋ｂ１））／（Ｗ＋（ａ１＋２Ｘ＋ｂ１＋２）・・・（１６）
この式（１６）より、残気量に応じた浮心位置を算出することができる。なお、上記式（１２）〜（１６）の傾き（ａ）及び切片（ｂ）を表す定数ａ、ｂは、泳者及びバランサーの取付条件の違いにより変わる。
【００７６】
演算処理部９で、演算された結果は記憶部１２に記憶される。記憶部１２に記憶された測定結果は、コンピュータ１１のオペレータの操作に従い、モニタに表示されたり、印刷出力することができる。
【００７７】
また、演算処理部９では、浮心位置（Ｘ２）と重心位置（Ｘ１）との差を演算する。その演算結果は記憶部１２に記憶される。
【００７８】
以上のとおり、本発明の泳者情報測定装置１によると、浮力及び浮心位置の値に影響を与える残気量（Ｖｃ）の値を演算に加味することにより、残気量（Ｖｃ）に応じた浮力（Ｂ）及び浮心位置（Ｘ２）を算出するので、測定値の正確性を増すことができる。したがって、バランサー２０の取付条件を変えて浮力及び浮心位置を比較する場合、純粋に測定値の比較を行うことができる。このように、残気量を考慮した重心位置と浮心位置との正確な距離が分かるので、両者を近づけたり、遠ざけたりすることによって姿勢調整を行う場合により実際的な調整方法となる。
【００７９】
なお、図１７に示すように、本発明の泳者情報測定装置１は、上記構成に加えて、さらに水流荷重センサ２２を設けることができる。水流荷重センサ２２は、上半身支持部３の前面側に設けられる。水流荷重センサ２２は、圧縮型のロードセンサが用いられ、前方側からかかる荷重、すなわち水流による荷重を計測する。水流荷重センサ２２は、コンピュータ１１に接続される。この構成により、水流の大小による浮力及び浮心位置の変化を測定することができる。
【００８０】
また、上記実施形態においては、残気量計測手段８を設けて、残気量（Ｖｃ）の値を泳者情報の演算に加味したが、残気量（Ｖｃ）を加味せずに、背景技術の頁で示した測定ステップ（２）のような従来の測定方法を利用して浮力（Ｂ）及び浮心位置（Ｘ２）を求めてもよい。また、残気量（Ｖｃ）を加味せずに、体重（Ｗ）、上半身荷重（Ｆ１）及び下半身荷重（Ｆ２）に基づき、関係式（４）から浮力（Ｂ）を求め、その浮力（Ｂ）、体重（Ｗ）、両荷重計測点間の距離（Ｘ０）及び下半身荷重（Ｆ２）を計測して関係式（５）から浮心位置（Ｘ２）を求めてもよい。
Ｂ＝Ｗ＋Ｆ１＋Ｆ２・・・（４）
Ｘ２・Ｂ＋Ｘ１・（−Ｗ）＋Ｘ０・（−Ｆ１）＝０・・・（５）
【００８１】
また、上記構成の泳者情報測定装置１と、浮力を有するバランサー２０とを用いて、泳者Ａの姿勢を調整する方法を提供することができる。すなわち、上記泳者情報測定装置１を用いて、泳者Ａの重心位置（Ｘ１）と、肺内残気量（Ｖｃ）と、この残気量（Ｖｃ）に応じた浮心位置（Ｘ２）及び浮力（Ｂ）を泳者情報として求め、この泳者情報に基づいて泳者の身体に浮力を有する取外し可能なバランサーを取り付けることにより、重心位置（Ｘ１）と浮心位置（Ｘ２）の差を変え、泳者姿勢を調整する方法である。
【００８２】
バランサー２３は、いわゆる浮力材であるが、従来から存する浮き輪やアームリング（腕浮き輪）などのように内包する空気の浮力を利用した浮くためだけの浮力材ではなく、いわば浮力調整材であり、例えば、適宜な浮力を生じやすい独立気泡構造のゴム製弾性発泡体が挙げられる。具体例としては、水着等の水泳時に着用する衣類及びその一部、泳者の身体に部分的に装着可能な部材（サポータ、紐やベルトで腕や胴体に巻きつけるフロータ、）を含むものである。
【００８３】
また、バランサー２０の種類とは、厚みの大小、大きさ、材質の違い等の浮力に影響を及ぼす性質及び形態の違いをいう。また、バランサー２０の取付位置を変えるとは、例えば、図１３に示すように、スパッツ型の水着の着用と、全体を覆うウエットスーツの着用とでは、バランサーの取付位置が変わる。スパッツ型でも下肢全体を覆うもの、１〜９部の丈の違いによってバランサーとしての取付位置が変わる。さらに、スパッツ型の水着の着用に加えて図１４に示すサポータを腕や脚に巻き付けた場合でもバランサーの取付位置が変わる。また、図１６に示すように、手や足を失った泳者に対しては、失った部分の浮力を補うために、その付け根にバランサー２０を取り付けて泳者姿勢を調整することができる。それぞれの取付条件において、浮心位置（Ｘ２）を測定して、重心位置（Ｘ１）と浮心位置（Ｘ２）との差を見極めればよい。
【００８４】
バランサーの種類及び取付位置等の取付条件は、目的によって変える。例えば、初心者やマスターズ級の泳者のように、浮心と重心の位置が大きく離れていたり、腹筋及び背筋の筋力が不足している者には、重心位置（Ｘ１）と浮心位置（Ｘ２）とが同一鉛直線上に近づく近接条件でバランサーを取り付けて、水中における水平姿勢保持のための手助けをする。近接条件の選定は、バランサーの種類及び取付位置を変える毎に泳者情報を求め、その中から浮心位置（Ｘ２）と重心位置（Ｘ１）との距離差を少なくし、両者を同一鉛直線上で近づくような好適な条件を見出すことにより、行われる。このように、この場合のバランサー２０は、泳者Ａの浮心位置と重心位置を同一鉛直線上により近づけ、泳者Ａの水平姿勢を維持するために使用される。
【００８５】
このような近接条件でバランサーを泳者に取り付けることにより、浮心位置（Ｘ２）と重心位置（Ｘ１）とを同一鉛直線上に近づけ、泳者を水平姿勢に調整することができる。水中において身体を水平姿勢に保つと、身体にかかる水の抵抗が減るため、効率よく速く泳ぐことができるようになる。そして、この近接条件で水泳の練習を繰り返して行うことにより、泳者は水平姿勢のバランス感覚を覚え、バランサーを取り外した後でも水平姿勢のバランスを保つことができる。こうして、水平姿勢のバランスを覚えた泳者は、バランサーなしでも早く泳ぐことができ、泳力の向上につなげることができる。
【００８６】
こうして得られたデータを用いれば、より速く、より効率よく泳ぐことを可能にし、より技術向上の果たせる素材やそれを用いた水着等のバランサー２０の開発が可能となる。
【００８７】
また、アスリート級の泳者の場合、腹筋及び背筋が発達しているため、水中で水平姿勢に近いかたちをとることは比較的容易であるが、より正確な水平姿勢を保つように、浮心位置（Ｘ２）と重心位置（Ｘ１）とを同一鉛直線上にさらに近づかせてトレーニングすれば上記と同様に泳力の向上につなげることができる。また、敢えて重心位置（Ｘ１）と浮心位置（Ｘ２）が離れる離反条件でバランサーを取り付けることにより、腕力、脚力を鍛えるトレーニングあるいは水平姿勢を保つための筋肉が鍛えるためのトレーニング用としても利用することができる。離反条件の選定は、バランサーの種類及び取付位置を変える毎に泳者情報を求め、その中から重心位置（Ｘ１）と浮心位置（Ｘ２）が離れる条件を見出すことにより行われる。離反条件を選定した場合のバランサー２０は、泳者Ａの浮心位置と重心位置を同一鉛直線上から離反させ、敢えて泳者Ａの水平姿勢を乱すために使用される。
【００８８】
個人個人のデータを測定して、泳者及びその目的に合ったバランサー２０をオーダーメイドで製造し提供してもよいし、または、複数の泳者のデータを採取して、例えば、身長・体重・体脂肪率・水泳の熟練度等に応じてグループ分けを行い、各グループに適した水泳姿勢バランサー２３を体系化しておくようにしてもよい。
【００８９】
（実施例）
次に、上記構成の泳者情報測定装置１を用いて、水着の浮力の違いによる好適な取付条件を見出す例を説明する。泳者Ａに次の水着を着用させて、浮力（Ｂ）および浮心位置（Ｘ２）を演算した。いずれの水着の形態も１分丈のハーフパンツ型である。
ケース１：通常の織物製の水着を着用
ケース２：独立気泡構造を有するゴム製弾性発泡体（山本化学工業株式会社製「商品名バイオラバースイム」）からなる水着であって、厚みが１．５ｍｍの水着を着用
ケース３：独立気泡構造を有するゴム製弾性発泡体（山本化学工業株式会社製「商品名バイオラバースイム」）からなる水着であって、厚みが３．０ｍｍの水着を着用
ケース４：独立気泡構造を有するゴム製弾性発泡体（山本化学工業株式会社製「商品名バイオラバースイム」）からなる水着であって、厚みが５．０ｍｍの水着を着用
【００９０】
なお、泳者Ａの重心位置（Ｘ１）は、図１８に示す重心位置測定装置によって求めた。ある泳者の体重（Ｗ）＝６８．５５ｋｇ、足先から指先までの支持点間の距離（Ｘ０）＝２１３ｃｍ、手先の下に設けられた荷重計の計測値（Ｆａ）＝３２．８６ｋｇとし、
これを式（１）に代入して重心位置（Ｘ１）を求めた。
Ｆａ・Ｘ０＝Ｗ・Ｘ１・・・・・・・（１）
その演算結果によれば、重心位置（Ｘ１）＝１０２．１ｃｍであった。
【００９１】
次に、本測定装置を用いて、演算処理部９において、浮力（Ｂ）および浮心位置（Ｘ２）を求める方法を各ケース毎に示す。測定は、残気量（Ｖｃ）に応じて合計１５回測定した。このときの荷重Ｆ１、Ｆ２と残気量Ｖｃを示すデータテーブルを図３、５、７、９に示し、該データテーブルに基づく荷重Ｆ１、Ｆ２と残気量Ｖｃの回帰式を図４、６、８、１０に示す。
【００９２】
＜ケース１＞
（上半身荷重（Ｆ１）と残気量（Ｖｃ）との回帰式）
図３の上半身荷重（Ｆ１）、下半身荷重（Ｆ２）、残気量（Ｖｃ）の結果より、上半身荷重Ｆ１（Ｙ１）を目的変数とし、残気量Ｖｃ（ｘ）を説明変数とした場合、下記の直線回帰式（７）となる。
Ｙ１＝０．０００６Ｘ−０．８６１３ （相関関係指数Ｒ２＝０．９９６７）・・・（７）
（下半身荷重（Ｆ２）と残気量（Ｖｃ）との回帰式）
下半身荷重Ｆ２（Ｙ２）を目的変数とし、残気量Ｖｃ（ｘ）を説明変数とした場合、下記の直線回帰式（８）となる。
Ｙ２＝０．０００３Ｘ−１．１６１４ （Ｒ２＝０．９９３）・・・（８）
（Ｆ１＋Ｆ２と残気量（Ｖｃ）との回帰式）
Ｆ１＋Ｆ２（Ｙ１＋２）を目的変数とし、残気量Ｖｃ（ｘ）を説明変数とした下記の直線回帰式（９）となる。
Ｙ１＋２＝０．０００９Ｘ−２．０２２７（Ｒ２＝０．９９５９） ・・・（９）
で表すことができる。
これらの直線回帰式のグラフを図４に示す。
【００９３】
（浮力（Ｂ）の算出方法）
次に浮力（Ｂ）を求める。泳者Ａの体重をＷとすると、下記式（４）が成り立つ。
Ｂ＝Ｗ＋Ｆ１＋Ｆ２・・・（４）
この式（４）に上記式（９）の回帰式を代入することにより、下記式（１０）が導きだされる。この式（１０）より、残気量（Ｖｃ）に応じた浮力（Ｂ）を算出することができる。
Ｂ＝Ｗ＋０．０００９Ｘ−２．０２２７・・・（１０）
【００９４】
（浮心位置（Ｘ２）の算出方法）
また、浮心位置（Ｘ２）については、下半身支持部４による足の固定位置を支点とすると、身体にかかる力は、浮力、体重及びＦ１に限定されることから、下記関係式（５）が成り立つ。
Ｘ２・Ｂ＋Ｘ１・（−Ｗ）＋Ｘ０・（−Ｆ１）＝０・・・（５）
この式（５）に、上記式（７）を代入すると、下記関係式（１１）が成り立つ。
Ｘ２＝（Ｘ１・Ｗ＋Ｘ０・（０．０００６Ｘ−０．８６１３））／（Ｗ＋（０．０００９Ｘ−２．０２２７）・・・（１１）
この式（１１）より、残気量（Ｖｃ）に応じた浮心位置（Ｘ２）を算出することができる。
【００９５】
上記式（１０）及び（１１）に、Ｗ＝６８．５５ｋｇ、Ｘ０＝２１３ｃｍ、Ｘ１＝１０２．１ｃｍと、ＶＣの値を代入することにより、図３のように、サンプル１〜１５における残気量（Ｖｃ）に応じた浮力（Ｂ）、浮心位置（Ｘ２）を算出することができる。
【００９６】
＜ケース２＞
（上半身荷重（Ｆ１）と残気量（Ｖｃ）との回帰式）
図５の結果より、上半身荷重Ｆ１（Ｙ１）を目的変数とし、残気量Ｖｃ（ｘ）を説明変数とした場合、下記の直線回帰式（１７）となる。
Ｙ１＝０．０００６Ｘ−０．８４１９ （Ｒ２＝０．９９７８）・・・（１７）
（下半身荷重（Ｆ２）と残気量（Ｖｃ）との回帰式）
また、下半身荷重Ｆ２（Ｙ２）を目的変数とし、残気量Ｖｃ（Ｘ）を説明変数とした場合、下記の直線回帰式（１８）となる。
Ｙ２＝０．０００３Ｘ−０．９８７６（Ｒ２＝０．９９７１） ・・・（１８）
（Ｆ１＋Ｆ２と残気量（Ｖｃ）との回帰式）
さらに、Ｆ１＋Ｆ２（Ｙ１＋２）を目的変数とし、残気量Ｖｃ（Ｘ）を説明変数とした下記の直線回帰式（１９）となる。
Ｙ１＋２＝０．０００９Ｘ−１．８２９５ （Ｒ２＝０．９９７７）・・・（１９）
で表すことができる。
これらの直線回帰式のグラフを図６に示す。
（浮力（Ｂ）の算出方法）
そして、上記式（４）に上記式（１９）を代入することにより、式（２０）が導きだされ、残気量（Ｖｃ）に応じた浮力（Ｂ）を算出することができる。
Ｂ＝Ｗ＋０．０００９Ｘ−１．８２９５・・・（２０）
（浮心位置（Ｘ２）の算出方法）
また、浮心位置（Ｘ２）については、上記関係式（５）に、上記式（１７）を代入すると、下記関係式（２１）が成り立つ。
Ｘ２＝（Ｘ１・Ｗ＋Ｘ０・（０．０００６Ｘ−０．８４１９））／（Ｗ＋（０．０００９Ｘ−１．８２９５）・・・（２１）
この式（２１）より、残気量（Ｖｃ）に応じた浮心位置（Ｘ２）を算出することができる。
【００９７】
上記式（２０）及び（２１）に、Ｗ＝６８．５５ｋｇ、Ｘ０＝２１３ｃｍ、Ｘ１＝１０２．１ｃｍと、ＶＣの値を代入することにより、図５のように、サンプル１〜１５における残気量（Ｖｃ）に応じた浮力（Ｂ）、浮心位置（Ｘ２）を算出することができる。
【００９８】
＜ケース３＞
（上半身荷重（Ｆ１）と残気量（Ｖｃ）との回帰式）
図７の結果より、上半身荷重Ｆ１（Ｙ１）を目的変数とし、残気量Ｖｃ（ｘ）を説明変数とした場合、下記の直線回帰式（２２）となる。
（下半身荷重（Ｆ２）と残気量（Ｖｃ）との回帰式）
Ｙ１＝０．０００６Ｘ−０．６８８８ （Ｒ２＝０．９９２９）・・・（２２）
（下半身荷重（Ｆ２）と残気量（Ｖｃ）との回帰式）
また、下半身荷重Ｆ２（Ｙ２）を目的変数とし、残気量Ｖｃ（Ｘ）を説明変数とした場合、下記の直線回帰式（２３）となる。
Ｙ２＝０．０００３Ｘ−０．７５４５ （Ｒ２＝０．９９１３）・・・（２３）
（Ｆ１＋Ｆ２と残気量（Ｖｃ）との回帰式）
さらに、Ｆ１＋Ｆ２（Ｙ１＋２）を目的変数とし、残気量Ｖｃ（Ｘ）を説明変数とした下記の直線回帰式（２４）となる。
Ｙ１＋２＝０．０００９Ｘ−１．４４３３ （Ｒ２＝０．９９２５）・・・（２４）
で表すことができる。
これらの直線回帰式のグラフを図８に表す。
（浮力（Ｂ）の算出方法）
そして、上記式（４）に上記式（２４）を代入することにより、下記式（２５）が導きだされ、残気量（Ｖｃ）に応じた浮力（Ｂ）を算出することができる。
Ｂ＝Ｗ＋０．０００９Ｘ−０．９９２５・・・（２５）
（浮心位置（Ｘ２）の算出方法）
また、浮心位置（Ｘ２）については、上記関係式（５）に、上記式（２２）を代入すると、下記関係式（２６）が成り立つ。
Ｘ２＝（Ｘ１・Ｗ＋Ｘ０・（０．０００６Ｘ−０．６８８８））／（Ｗ＋（０．０００９Ｘ−１．４４３３）・・・（２６）
この式（２６）より、残気量（Ｖｃ）に応じた浮心位置（Ｘ２）を算出することができる。
【００９９】
上記式（２５）及び（２６）に、Ｗ＝６８．５５ｋｇ、Ｘ０＝２１３ｃｍ、Ｘ１＝１０２．１ｃｍと、ＶＣの値を代入することにより、図７のように、サンプル１〜１５における残気量（Ｖｃ）に応じた浮力（Ｂ）、浮心位置（Ｘ２）を算出することができる。
【０１００】
＜ケース４＞
（上半身荷重（Ｆ１）と残気量（Ｖｃ）との回帰式）
図９の結果より、上半身荷重Ｆ１（Ｙ１）を目的変数とし、残気量Ｖｃ（Ｘ）を説明変数とした場合、下記の直線回帰式（２７）となる。
Ｙ１＝０．０００６Ｘ−０．３９２１（Ｒ２＝０．９８１８） ・・・（２７）
（下半身荷重（Ｆ２）と残気量（Ｖｃ）との回帰式）
また、下半身荷重Ｆ２（Ｙ２）を目的変数とし、残気量Ｖｃ（Ｘ）を説明変数とした場合、下記の直線回帰式（２８）となる。
Ｙ２＝０．０００３Ｘ−０．４３５４（Ｒ２＝０．９７４９） ・・・（２８）
で表すことができる。
（Ｆ１＋Ｆ２と残気量（Ｖｃ）との回帰式）
さらに、Ｆ１＋Ｆ２（Ｙ１＋２）を目的変数とし、残気量Ｖｃ（Ｘ）を説明変数とした下記の直線回帰式（２９）となる。
Ｙ１＋２＝０．０００９Ｘ−０．８２７５ （Ｒ２＝０．９８０１）・・・（２９）
で表すことができる。
これらの直線回帰式のグラフを図１０に表す。
（浮力（Ｂ）の算出方法）
そして、上記式（４）に上記式（２９）を代入することにより、下記式（３０）が導きだされ、残気量（Ｖｃ）に応じた浮力（Ｂ）を算出することができる。
Ｂ＝Ｗ＋０．０００９Ｘ−０．９９２５・・・（３０）
（浮心位置（Ｘ２）の算出方法）
また、浮心位置（Ｘ２）については、上記関係式（５）に、上記式（２７）を代入すると、下記関係式（３１）が成り立つ。
Ｘ２＝（Ｘ１・Ｗ＋Ｘ０・（０．０００６Ｘ−０．３９２１））／（Ｗ＋（０．０００９Ｘ−０．８２７５）・・・（３１）
この式（３１）より、残気量（Ｖｃ）に応じた浮心位置（Ｘ２）を算出することができる。
【０１０１】
上記式（３０）及び（３１）に、Ｗ＝６８．５５ｋｇ、Ｘ０＝２１３ｃｍ、Ｘ１＝１０２．１ｃｍと、ＶＣの値を代入することにより、図９のように、サンプル１〜１５における残気量（Ｖｃ）に応じた浮力（Ｂ）、浮心位置（Ｘ２）を算出することができる。
【０１０２】
（浮心位置と重心位置との差（Ｘ２−Ｘ１）の算出）
さらに、残気量（Ｖｃ）に応じた浮心位置と重心位置との差（Ｘ２−Ｘ１）を算出する。残気量０、５００、１０００・・・における（Ｘ２−Ｘ１）を算出し、その値を図１１に示す。
また、両者の差（Ｘ２−Ｘ１）と残気量と（Ｖｃ）とは比例関係にあることがわかる。したがって、浮心位置（Ｘ２）と重心位置（Ｘ１）との差（Ｙ）は、残気量（Ｘ）を変数とした下記の直線回帰式となる。この関係式を図１２のグラフに表す。
ケース１：  Ｙ＝０．０００５Ｘ＋０．３８２７（Ｒ２＝０．９９９５）・・・（３２）
ケース２：  Ｙ＝０．０００５Ｘ＋０．１４８ （Ｒ２＝０．９９９５）・・・（３３）
ケース３：  Ｙ＝０．０００５Ｘ＋０．０４５４（Ｒ２＝０．９９９５）・・・（３４）
ケース４：  Ｙ＝０．０００５Ｘ＋０．０４９５（Ｒ２＝ ０．９９９６）・・・（３５）
【０１０３】
図１１及び図１２を検討すると、ケース１よりもケース２では、浮心位置（Ｂ）と重心位置（Ｘ１）との差を大きく狭めることができた。ケース３とケース４ではあまり差がみられなかった。また、ケース２とケース３とでは大きな差はないため、どちらの取付条件をとるかであるが、重心位置（Ｘ１）と浮心位置（Ｘ２）とが同一鉛直線上により近づく近接条件を取りたい場合には、ケース３を選べばよい。また、本実施例の泳者Ａは、水泳暦も長く、レベルが高い者であるので、重心位置（Ｘ１）と浮心位置（Ｘ２）とが少し離れる浮力の少ないケース２を選び、水平姿勢をとるためのトレーニングをさせることもできる。
【０１０４】
このように、泳者情報測定装置１を用いた泳者姿勢の調整方法によると、残気量（Ｖｃ）を考慮した浮力（Ｂ）及び浮心位置（Ｘ２）などの泳者情報に基づいて、泳者姿勢を正確に把握したうえでバランサー２０の好適な取付条件を選び、泳者姿勢を調整することができる。また、こうして得られたデータを用いれば、より速く、より効率よく泳ぐことを可能にし、より水泳技術の向上を果たせる素材やそれを用いた水着等のバランサー２０の開発が可能となる。
【０１０５】
また、身障者を対象とした場合には、バランサー２０を使用してトレーニングすることにより、より楽にスムーズに泳ぐことができ、これによって水泳姿勢を感覚的の覚えるので、バランサーを取外した後も楽に速く泳ぐことを可能にするものである。
【産業上の利用可能性】
【０１０６】
本発明は、重心位置（Ｘ１）、浮心位置（Ｘ２）、浮力（Ｂ）等の泳者情報に基づいて、泳者にバランサーを取り付けることにより、重心位置と浮心位置の差を調節可能としたので、単に泳者情報を求めるだけではなく、これを水泳のトレーニング手段として有効活用することができ、バランサーの種類及び取付位置を調整することによって、初心者やマスターズ級、さらにはアスリート級に応じたトレーニングを可能とすることができる。
【符号の説明】
【０１０７】
１      泳者情報測定装置
３      上半身支持部
４      下半身支持部
６      上半身荷重センサ
７      下半身荷重センサ
８      残気量測定手段
９      演算処理部
１１    コンピュータ
１８    制御部
２０    バランサー
【図１】
2011125163.tif 000003
【図２】
2011125163.tif 000004
【図３】
2011125163.tif 000005
【図４】
2011125163.tif 000006
【図５】
2011125163.tif 000007
【図６】
2011125163.tif 000008
【図７】
2011125163.tif 000009
【図８】
2011125163.tif 000010
【図９】
2011125163.tif 000011
【図１０】
2011125163.tif 000012
【図１１】
2011125163.tif 000013
【図１２】
2011125163.tif 000014
【図１３】
2011125163.tif 000015
【図１４】
2011125163.tif 000016
【図１５】
2011125163.tif 000017
【図１６】
2011125163.tif 000018
【図１７】
2011125163.tif 000019
【図１８】
2011125163.tif 000020
【図１９】
2011125163.tif 000021
【国際調査報告】
2011125163.tif 000022
2011125163.tif 000023
2011125163.tif 000024
2011125163.tif 000025